(57)【特許請求の範囲】
【請求項１】
複数の画像を同時に表示する表示装置と、
前記表示手段に表示された複数の前記画像の表示倍率を入力する表示倍率入力手段と、
前記表示倍率入力手段により入力された表示倍率に応じて、前記表示手段に表示された複数の前記画像の表示倍率を、同時に略同じ変化率で変化させる表示倍率制御装置とを備え、
前記表示倍率制御装置は、前記表示装置に画像を表示するときに用いる最小の表示倍率であって、画像の縦横比ごとに決定される個別最低表示倍率を求め、
１つの画像を表示する状態から、縦横比が異なる複数の画像を同時に表示する状態に前記表示装置が表示を切り替えるとき、前記表示倍率制御装置は、前記表示装置が同時に表示する全ての画像に対応する個別最低表示倍率のうち最も大きな個別最低表示倍率を、前記表示装置に表示される複数の画像の最低表示倍率とするデジタルカメラ。
【請求項２】
前記表示装置の横方向の長さは縦方向の長さよりも長く、横方向の長さが縦方向の長さよりも長い横撮影画像と、縦方向の長さが横方向の長さよりも長い縦撮影画像とを同時に表示し、
前記横撮影画像の個別最低表示倍率は、前記縦撮影画像の個別最低表示倍率よりも大きく、
前記表示倍率制御装置は、前記横撮影画像の個別最低表示倍率を、前記表示装置に表示される複数の画像の最低表示倍率とし、前記表示装置は、前記横撮影画像の個別最低表示倍率を用いて前記横撮影画像及び前記縦撮影画像を表示する請求項１に記載のデジタルカメラ。
【請求項３】
縦横比が異なる複数の画像を前記表示装置が同時に表示しているときに、前記複数の画像のいずれかを他の画像に変更したとき、前記表示装置は、変更されて表示されなくなった画像の表示倍率を用いて、変更後の画像を表示する請求項１又は２に記載のデジタルカメラ。
【請求項４】
前記デジタルカメラは、複数の前記画像から画像を選択可能である画像選択手段をさらに備え、
前記画像選択手段が複数の前記画像から複数の前記画像を選択しているとき、前記表示倍率制御装置は、前記表示倍率入力手段により入力された表示倍率に応じて、前記選択された前記画像の表示倍率を、同時に略同じ変化率で変化させる請求項１から３のいずれかに記載のデジタルカメラ。
【請求項５】
前記デジタルカメラは、複数の前記画像からいずれか１つの画像を選択する画像選択手段をさらに備え、
前記表示倍率制御装置は、前記画像選択手段が選択した画像の表示倍率を前記表示倍率入力手段により入力された表示倍率に応じて変化させることが可能である請求項１から４のいずれかに記載のデジタルカメラ。
【請求項６】
前記表示装置は１つの画像を表示する表示領域を、前記表示装置が表示する画像の数だけ備え、
前記表示倍率制御装置は、前記表示領域の中心を基準に前記画像の表示倍率を変化させる請求項１から５のいずれかに記載のデジタルカメラ。
【請求項７】
前記デジタルカメラの外部に設けられ、前記デジタルカメラからの画像信号を受信する受信装置を備える表示装置と、
前記表示装置に画像信号を出力するための出力装置をさらに備える請求項１に記載のデジタルカメラとを備える画像表示システム。
【発明の詳細な説明】
【技術分野】
【０００１】
本発明は表示装置を備えるデジタルカメラに関し、より詳しくは表示装置に表示される画像の大きさを変更しうる制御装置を有するデジタルカメラに関する。
【背景技術】
【０００２】
従来、画像を表示する表示装置を２つ備えるデジタルカメラが知られている。撮像レンズから入射した被写体像であるスルー画像を１つの表示装置に表示し、デジタルカメラに記録された撮影済みの撮影画像や、スルー画像の一部の拡大画像を他方の表示装置に表示する。ユーザは、２つの表示装置に表示された画像を個別に操作することにより所望の部分を参照して撮影を行う（特許文献１）。
【特許文献１】特開２００５−８６２８３号公報
【発明の開示】
【発明が解決しようとする課題】
【０００３】
しかし、ユーザが撮影画像における複数の部分を参照することを望む場合、参照したい部分を所望の表示倍率で表示装置に表示するために２つの撮影画像を１つ１つ拡大又は移動しなければならず、ユーザに操作負担を強いることになる。
【０００４】
本発明はこの問題を解決するためになされたものであり、表示装置に表示された画像を同時に拡大して、画像の参照を容易にするデジタルカメラを得ることを目的とする。
【課題を解決するための手段】
【０００５】
本願第１の発明によるデジタルカメラは、複数の画像を同時に表示する表示装置と、表示手段に表示された複数の画像の表示倍率を入力する表示倍率入力手段と、表示倍率入力手段により入力された表示倍率に応じて、表示手段に表示された複数の画像の表示倍率を、同時に略同じ変化率で変化させる表示倍率制御装置とを備えることを特徴とする。略同じ変化率は、ユーザが同じ変化率で変化していると認識し得る程度の範囲において同じ変化率という意味である。
【０００６】
デジタルカメラは、複数の画像から画像を選択可能である画像選択手段をさらに備え、画像選択手段が複数の画像から複数の画像を選択しているとき、表示倍率制御装置は、表示倍率入力手段により入力された表示倍率に応じて、選択された画像の表示倍率を、同時に略同じ変化率で変化させることが好ましい。
【０００７】
さらに、表示倍率には最大表示倍率が設定され、画像選択手段が複数の画像から複数の画像を選択し、かつ複数の画像のいずれか１つが最大表示倍率で表示されているとき、表示倍率制御装置は、選択された画像の表示倍率を変化しないことが望ましい。
【０００８】
また、表示倍率には最小表示倍率が設定され、画像選択手段が複数の画像から複数の画像を選択し、かつ複数の画像のいずれか１つが最小表示倍率で表示されているとき、表示倍率制御装置は、選択された画像の表示倍率を変化しないことが望ましい。
【０００９】
デジタルカメラは、複数の画像からいずれか１つの画像を選択する画像選択手段をさらに備え、表示倍率制御装置は、画像選択手段が選択した画像の表示倍率を表示倍率入力手段により入力された表示倍率に応じて変化させることが可能であってもよい。
【００１０】
表示装置は１つの画像を表示する表示領域を、表示装置が表示する画像の数だけ備え、表示倍率制御装置は、表示領域の中心を基準に画像の表示倍率を変化させてもよい。
【００１１】
本願第２の発明による画像表示システムは、デジタルカメラの外部に設けられ、デジタルカメラからの画像信号を受信する受信装置を備える表示装置と、表示装置に画像信号を出力するための出力装置をさらに備える請求項１に記載のデジタルカメラとを備えることを特徴とする。
【発明の効果】
【００１２】
本発明によれば、表示装置に表示された画像を同時に拡大して、画像の参照を容易にするデジタルカメラを得る。
【発明を実施するための最良の形態】
【００１３】
以下、本発明におけるデジタルカメラの一実施形態について添付図面を参照して説明する。図１は撮像レンズが取り付けられたデジタルカメラの外観図である。
【００１４】
デジタルカメラ１００及び撮像レンズ２０の構成について図１及び２を用いて説明する。
【００１５】
デジタルカメラ１００の外部には、撮影画像を表示する表示装置１２０、撮影を行うときに押圧されるレリーズボタン１１１、回転動作によりデジタルカメラ１００を操作する後操作ダイヤル１１２、十字キー１１３、各種ボタン１１４、１１５、１１６、１１７、前操作ダイヤル１１９、外部表示装置に画像信号を出力するための出力端子１４１、画像記録媒体を挿入するカードスロット１４０、および撮像レンズ２０を介して被写体を視認するための光学ファインダ１３０が主に設けられる。
【００１６】
デジタルカメラ１００の内部にはＣＰＵ１５０が設けられる。ＣＰＵ１５０にはフラッシュメモリ１６１が接続され、ＣＰＵ１５０を動作させるためのプログラム等が記憶される。デジタルカメラ１００の電源が投入されると、ＣＰＵ１５０はフラッシュメモリ１６１からプログラムを読み出して実行する。撮像レンズ２０に取り付けられる絞り２２は、絞り駆動回路１５９により絞り開度が制御される。撮像レンズ２０に入射した被写体像は、リターンミラー１５４により反射されて光学ファインダ１３０に導かれる。ユーザは光学ファインダ１３０を介して撮像レンズ２０に入射した被写体を視認する。
【００１７】
ユーザがレリーズボタン１１１を半押しすると、レリーズボタン１１１から撮像準備信号がＣＰＵ１５０に送信される。撮像準備信号を受信したＣＰＵ１５０は測光回路１５１を制御して露出を測定する。この露出から算出された露出情報は光学ファインダ１３０内に設けられたファインダ内表示装置（図示しない）に表示される。ユーザはこの露出情報を参考にして撮影条件を決定する。撮影条件は、例えばシャッター速度、絞り開度、及びＩＳＯ値であり、後操作ダイヤル１１２を回転させてデジタルカメラ１００に入力される。ユーザが後操作ダイヤル１１２を回転させるとき、所定の角度毎に抵抗、すなわちクリック感が与えられる。ＣＰＵ１５０は入力された撮影条件を用いて、シャッタースピード、絞り開度、およびＩＳＯ値等を制御する。
【００１８】
レリーズボタン１１１が全押しされると撮影動作が行われる。撮影動作では、ＣＰＵ１５０による各回路への信号の送信からＣＰＵ１５０への画像データの送信までが行われる。より詳しく説明すると、ＣＰＵ１５０は絞り駆動回路１５９、ミラー駆動回路１５３、及びシャッター駆動回路１５５に信号を送信する。絞り駆動回路１５９は絞り２２を調節し、ミラー駆動回路１５３はリターンミラー１５４を上げ、シャッター駆動回路１５５はシャッター幕４５を開閉する。これにより被写体像が撮像素子（ＣＣＤ）１５７に結像する。
【００１９】
撮像素子１５７は撮像データをＡ／Ｄコンバータ１５８に送信する。撮像素子１５７の受光面における縦横の比率は略２：３であるため、撮像データにおける縦横の比率もまた略２：３である。Ａ／Ｄコンバータ１５８は撮像データを画像データに変換し、ＣＰＵ１５０に送信する。次にＣＰＵ１５０は、画像データをフラッシュメモリ１６１に一時的に記録しながら画像処理を行い、画像ファイルを出力する。画像処理では画像データの色調等の調整およびＪＰＥＧ圧縮等を行う。デジタルカメラ１００は自らの状態が縦位置又は横位置のどちらにあるか判断するための位置センサ１１８を備える。位置センサ１１８は、レリーズボタン１１１が全押しされたときデジタルカメラ１００が縦位置又は横位置のどちらにあるか示す信号をＣＰＵ１５０に送信する。ＣＰＵ１５０は画像処理において縦位置か横位置かを示す信号をＥｘｉｆ情報として画像ファイルに書き込む。画像ファイルはカードスロット１４０に挿入された画像記録媒体１６２に記録される。画像記録媒体１６２は、例えばＳＤカード、コンパクトフラッシュ（登録商標）等である。これらの装置は電池１７０から供給される電力により動作する。
【００２０】
画像記録媒体１６２に記録された画像ファイルの撮影画像は、ユーザが再生ボタン１１５を操作することにより表示装置１２０の表示画面１２１に表示される。表示画面１２１の縦横の比率は略３：４である。再生ボタン１１５を押圧すると、デジタルカメラ１００は再生モードで動作する。再生モードでは、撮影日時が最も新しい画像ファイルの撮影画像が先ず表示される。そして、十字キー１１３に記された左方向印１１３ａを押圧すると、撮影日時が次に新しい画像ファイルの撮影画像が表示される。十字キー１１３に記された右方向印１１３ｂを押圧すると、撮影日時が古い画像ファイルの撮影画像が表示される。
【００２１】
表示画面１２１に撮影画像を表示するとき、ＣＰＵ１５０は画像ファイルのＥｘｉｆ情報を読取り、撮影画像が縦位置で撮影されたものであるか、横位置で撮影されたものであるかを判断する。縦位置で撮影されていた場合は左方向に９０°回転した撮影画像を表示画面１２１に表示し、横位置で撮影されていた場合は回転せずに表示画面１２１に表示する。
【００２２】
前述のように、縦横の比率は表示画面１２１が３：４であり、撮影画像が２：３である。そこで、横位置で撮影された撮影画像は、その長辺の長さが表示画面１２１の長辺の長さと一致するように表示画面１２１に表示される。このときの撮影画像の表示倍率を１倍と定める。一方、縦位置で撮影された撮影画像は左方向に９０°回転して表示されるため、撮影画像の左右には画像が表示されない領域が存在する。このときの表示倍率は０．７５倍である。以下、横位置で撮影された撮影画像を横撮影画像と称し、縦位置で撮影された撮影画像を縦撮影画像と称する。
【００２３】
撮影画像が表示画面１２１に表示されている状態で前操作ダイヤル１１９を右方向に回転すると、撮影画像を送る、つまり次に撮影された撮影画像が表示画面１２１に表示される。左方向に回転すると、撮影画像を戻す、つまり１つ前に撮影された撮影画像が表示画面１２１に表示される。
【００２４】
撮影画像が表示画面１２１に表示されている状態で後操作ダイヤル１１２を右方向に回転すると、撮影画像の一部が拡大されて表示される。最大倍率は３２倍である。撮影画像が拡大された状態において後操作ダイヤル１１２を左方向に回転すると撮影画像は縮小される。最小倍率は、縦、横撮影画像いずれの場合においても０．７５倍である。後操作ダイヤル１１２のクリック感毎に、拡大率が所定のステップで増減される。拡大縮小は、表示領域１２１の中心を基準に行われる。つまり、表示画面１２１に表示される撮影画像の中心は、拡大及び縮小の前後において同じである。
【００２５】
また、撮影画像の一部が拡大表示されている状態で十字キー１１３を操作すると、表示する領域を移動することができる。十字キー１１３に記された上方向印１１３ｃを押圧すると表示領域が上方向に、下方向印１１３ｄを押圧すると下方向に、左方向印１１３ａを押圧すると左方向に、そして右方向印１１３ｂを押圧すると右方向にそれぞれ移動する。
【００２６】
デジタルカメラ１００は、表示画面１２１に２つの撮影画像を一度に表示することが可能である。２つの撮影画像を一度に表示するときのデジタルカメラ１００の動作について図３から５を用いて説明する。
【００２７】
図３は、表示画面１２１に表示された２つの撮影画像から１つの撮影画像を選択し、その表示倍率を変更する動作について示す。１つの撮影画像を表示する状態(最上段)からＦｎボタン１１４の操作により２つの撮影画像を表示する状態に切り替えることが可能であり、１つの撮影画像を選択した状態で表示倍率を変更する(最下段)。
【００２８】
図４は、表示画面１２１に表示されている全ての撮影画像を選択し、それらの表示倍率を変更する動作について示す。各撮影画像は異なる表示倍率で表示された状態で選択され、同時に略同じ変化率で変倍される。
【００２９】
図５は、表示画面１２１に表示された２つの撮影画像から全ての撮影画像を選択し、第１及び第２の表示領域上におけるそれらの位置を同時に変更する動作について示す。右上のブロック５Ａでは２つの撮影画像が共に移動端に達し、他のブロックは一方の撮影画像のみが移動端に達した状態を示す。
【００３０】
表示画面１２１は左右に二等分されて形成される第１の表示領域１２２と第２の表示領域１２３とを有し、第１の表示領域１２２には第１の撮影画像１２４が、第２の表示領域１２３には第２の撮影画像１２５がそれぞれ表示される。
【００３１】
図３に用いて表示画面１２１に１つの撮影画像が表示されている状態から２つの撮影画像を表示する手段について説明する。表示画面１２１に１つの撮影画像が表示倍率１倍で表示されているときは、Ｆｎボタン１１４を押圧すると機能選択画面が表示画面１２１に表示される。ユーザが機能選択画面において十字キー１１３を用いて複数の撮影画像を表示する旨を選択すると、第１及び第２の表示領域１２２、１２３に同じ撮影画像が表示される。１つの撮影画像が拡大表示されているときは、Ｆｎボタン１１４を押圧することにより第１及び第２の表示領域１２２、１２３に同じ撮影画像が表示される。いずれの手段においても、第１及び第２の表示領域１２２、１２３に表示される撮影画像の表示倍率は、直前に表示されていた撮影画像の表示倍率と同じである。
【００３２】
ユーザは、第１及び第２の表示領域１２２、１２３を選択し、選択した表示領域に表示された撮影画像を変更、拡大、縮小、及び移動することができる。選択された表示領域は緑色の選択枠１２６で囲まれる。図３及び４では選択枠１２６は破線で表示する。第１及び第２の表示領域１２２、１２３に撮影画像が表示された状態でＯＫボタン１１７を押圧すると、選択枠１２６が第１の表示領域１２２、第２の表示領域１２３、そして両方の表示領域の順に移動する。
【００３３】
第１及び第２の表示領域１２２、１２３に撮影画像を表示したとき、選択枠１２６は第２の表示領域１２３を選択した状態にある。ユーザはＯＫボタン１１７を押圧して選択枠１２６を移動し、いずれかの表示領域を選択する。そして前操作ダイヤル１１９を用いて選択した表示領域に表示されている撮影画像が送られる。撮影画像が送られることによって新たに表示された撮影画像の表示倍率は、既に表示された撮影画像の表示倍率と同じである。例えば、既に表示されている撮影画像の表示倍率が１．２倍であるとき、新たに表示される撮影画像の表示倍率も１．２倍である。同じ倍率で表示するため、被写体像の大小を把握することが容易になる。
【００３４】
第１の表示領域１２２を選択した状態で後操作ダイヤル１１２を左右に回転すると、第１の撮影画像１２４のみを拡大縮小できる。第２の表示領域１２３を選択した状態で後操作ダイヤル１１２を左右に回転すると、第２の撮影画像１２５のみを拡大縮小できる。
【００３５】
また、第１の表示領域１２２を選択した状態で十字キー１１３を操作すると第１の表示領域１２２が第１の撮影画像１２４に対して移動し、第２の表示領域１２３を選択した状態で十字キー１１３を操作すると第２の表示領域１２３が第２の撮影画像１２５に対して移動する。第１及び第２の表示領域１２２、１２３は、１つの撮影画像が表示されているときと同様に、上方向印１１３ｃ、下方向印１１３ｄ、左方向印１１３ａ、及び右方向印１１３ｂを押圧することによりそれぞれの方向に移動する。
【００３６】
図４に示すように、左右２つの縦撮影画像を選択した状態で後操作ダイヤル１１２を回転すると、２つの撮影画像が共に拡大縮小される。拡大縮小は、２つの撮影画像が選択されたときの表示倍率を基準にして、双方の表示倍率を所定のステップで増減させることにより行われる。例えば、第１の撮影画像１２４の表示倍率が０．７５、第２の撮影画像１２５の表示倍率が１．７であるときに後操作ダイヤル１１２を右方向に９クリック分回転させる。その結果、第１の撮影画像１２４の表示倍率は０．７５から９ステップ増加させた８倍に、第２の撮影画像１２５の表示倍率は１．７から９ステップ増加させた１６倍にそれぞれ変化する。１ステップ分の変化率は、例えば約１．１６倍から約１．３倍の範囲である。√√２（＝１．１８９）倍を基準としてこの範囲が定められる。
【００３７】
例えば、いずれか一方の撮影画像が３２倍に達したとき、２つの撮影画像の表示倍率は増やされない。第２の撮影画像１２５の表示倍率が３２倍となったときに第１の撮影画像１２４の表示倍率が１６倍であるならば、第１の撮影画像１２４は１６倍を超えて拡大されない。
【００３８】
２つの横撮影画像、又は縦撮影画像と横撮影画像とが第１及び第２の表示領域１２２、１２３にそれぞれ表示されているときにも同様にして、２つの撮影画像が共に拡大縮小される。そして、例えば、いずれか一方の撮影画像が０．７５倍に達したとき、２つの撮影画像の表示倍率は減らされない。第１の撮影画像１２４の表示倍率が０．７５倍となったときに第２の撮影画像１２５の表示倍率が１．７倍であるならば、第１の撮影画像１２４は１．７倍よりも縮小されない。
【００３９】
これにより、第１及び第２の表示領域に表示された被写体の大きさを常に等しく表示することが可能になる。
【００４０】
第１及び第２の表示領域１２２、１２３を選択した状態で十字キー１１３を操作すると、第１及び第２の表示領域１２２、１２３は同時に同じ移動量だけ移動する（図５参照）。この移動量は、撮影画像が表示されている表示画面１２１のピクセル数で計算される。操作は、１つの画像が表示されているときと同様に、上方向印１１３ｃ、下方向印１１３ｄ、左方向印１１３ａ、及び右方向印１１３ｂを押圧することによる。なお、第１及び第２の撮影画像１２４、１２５の表示倍率が異なっても、移動量は同じである。
【００４１】
第１及び第２の表示領域１２２、１２３には移動限界位置が定められる。移動限界位置は、第１及び第２の表示領域１２２、１２３の各辺の中央位置である。
【００４２】
右方向印１１３ｂが押圧されることにより第２の表示領域１２３が矢印Ｄａ方向に移動して、第２の表示領域１２３の底辺１２３ａの中央位置と第２の撮影画像１２５の一辺１２５ｂとが直交すると、第２の表示領域１２３は矢印Ｄａ方向への動きが規制される。他方、移動限界位置に達していない第１の表示領域１２２の動きは規制されない。第１の表示領域１２２は、第１の表示領域１２２の底辺１２２ａの中央位置と第１の撮影画像１２４の一辺１２４ｂとが直交するまで矢印Ｄａ方向へ移動する。上方向、下方向、左方向についても同様に動作する。
【００４３】
これにより、第１及び第２の表示領域１２２、１２３から表示画像が消えてしまうことがなくなる。また、移動限界位置を第１及び第２の表示領域１２２、１２３の一辺の中央位置とすることで、ユーザは第１及び第２の撮影画像１２４、１２５の端部を容易に認識することができる。
【００４４】
第１及び第２の撮影画像１２４、１２５を表示しているときにグリーンボタン１１６を押圧すると、第１及び第２の表示領域１２２、１２３はそれぞれが表示する第１及び第２の撮影画像１２４、１２５の中央部を表示する。
【００４５】
第１及び第２の撮影画像１２４、１２５を表示しているときにＦｎボタン１１４を押圧すると、１つの撮影画像のみが表示される。
【００４６】
次に画像再生処理について図６を用いて詳細に説明する。画像再生処理は再生ボタンが押圧されたときに実行される。
【００４７】
ステップＳ６１では表示画面１２１に撮影画像が表示される。ステップＳ６２では後操作ダイヤル１１２又は十字キー１１３が操作されたかが判断される。操作されたときには処理はステップＳ６３を実行し、操作されないときには処理はステップＳ６３を実行せずにステップＳ６４へ移動する。ステップＳ６３では、後述する変倍移動処理が行われる。
【００４８】
次のステップＳ６４では、第２の撮影画像１２５が選択されたか否かが判断される。第２の撮影画像１２５の選択は十字キー１１３を用いて行われる。第２の撮影画像１２５が選択されないとき処理はステップＳ６５に移動し、選択されるとき処理はステップＳ６１に移動する。
【００４９】
ステップＳ６５では、Ｆｎボタン１１４が押圧され、ユーザが第１及び第２の撮影画像１２４、１２５の同時表示を選択したか否かが判断される。ユーザが同時表示を選択した場合、ステップＳ６６において後述する同時表示処理が実行される。選択しない場合、ステップＳ６７で再生処理を終了するか否かが判断される。レリーズボタン１１１の押圧によりデジタルカメラ１００が撮影モードに移行したとき、デジタルカメラ１００の電源がオフにされたとき等に再生処理を終了すると判断し、再生処理が終了する。撮影モードは、デジタルカメラ１００が被写体を撮影するときに置かれる動作状態である。終了すると判断されないとき、処理はステップＳ６２に戻る。
【００５０】
次に、変倍移動処理について図７を用いて説明する。変倍移動処理は再生処理のステップＳ６３で実行される。
【００５１】
まずステップＳ７１において拡大操作がなされたか否かが判断される。すなわち、後操作ダイヤル１１２が右方向に回転されたか否かが判断される。拡大操作された場合にはステップＳ７２において撮影画像が拡大、つまり表示倍率が１ステップ上げられる。拡大操作がなされない場合にはステップＳ７２は実行されずにステップＳ７３に処理が進む。
【００５２】
次にステップＳ７３において縮小操作がなされたか否かが判断される。すなわち、後操作ダイヤル１１２が左方向に回転されたか否かが判断される。縮小操作された場合にはステップＳ７４において撮影画像が縮小、つまり表示倍率が１ステップ下げられる。縮小操作がなされない場合にはステップＳ７４は実行されずにステップＳ７５に処理が進む。
【００５３】
ステップＳ７５では移動操作がなされたか否かが判断される。すなわち、十字キー１１３が操作されたか否かが判断される。移動操作された場合には、十字キー１１３により指示された方向に表示領域を移動させ得るか否かがステップＳ７６において判断される。すなわち、撮影画像が移動限界位置に達していないか否かが判断される。表示領域を移動させ得る場合、処理はステップＳ７７に移動し、表示領域を移動させてステップＳ７８へ移動する。表示領域を移動させ得ない場合、表示領域を移動させないでステップＳ７８へ移動する。ステップＳ７８では変倍移動処理を終了し、再生処理のステップＳ６４へ処理を戻す。
【００５４】
次に図８を用いて同時表示処理について説明する。同時表示処理は再生処理のステップＳ６６で実行される。
【００５５】
ステップＳ８１において表示する撮影画像が縦撮影画像のみか否かが判断される。縦撮影画像のみである場合、ステップＳ８２において撮影画像の最低表示倍率が０．７５倍以上に設定され、撮影画像は０．７５倍以上で第１及び第２の表示領域１２２、１２３にそれぞれ表示される。横撮影画像のみである場合、あるいは縦撮影画像と横撮影画像が混在している場合、ステップＳ８３において撮影画像の最低表示倍率が１倍以上に設定され、撮影画像は１倍以上で第１及び第２の表示領域１２２、１２３にそれぞれ表示される。
【００５６】
次にステップＳ８４において第１及び第２の表示領域１２２、１２３に表示される撮影画像が変更されたか否かが判断される。撮影画像が変更されたときには、処置はＳ８１に戻る。これにより第１及び第２の表示領域１２２、１２３に表示される撮影画像の表示倍率が再度調整される。なお、撮影画像が変更されたとき、新たに表示される撮影画像は今まで表示されていた撮影画像と同じ倍率で表示される。つまり、今まで表示されていた撮影画像の表示倍率が１６倍であったときには、新たに表示される撮影画像は１６倍で表示される。
【００５７】
撮影画像が変更されないときには、処置はステップＳ８５に進む。ステップＳ８５では第１及び第２の表示領域１２２、１２３が共に選択されたか否かが判断される。共に選択されたときには処理はステップＳ８６に進む。共に選択されないときは１つの表示領域のみが選択されているのであるから、処理はステップＳ７０に進み、選択された表示領域に表示される撮影画像に対して変倍移動処理が実行される。変倍移動処理が実行された後は処理はステップＳ８５に戻る。
【００５８】
次にステップＳ８６において、拡大縮小を行うか否かが判断される。この判断は後操作ダイヤル１１２が操作されたか否かで判断される。操作された場合、ステップＳ８７において後述する同時変倍処理が実行され、ステップＳ８８に移行する。操作されない場合、ステップＳ８７を実行せずに処理はステップＳ８８に移行する。
【００５９】
ステップＳ８８では表示領域が移動するか否かが判断される。この判断は十字キー１１３が操作されたか否かで判断される。十字キー１１３が操作された場合、ステップＳ８９において後述する同時移動処理が実行され、ステップＳ９０に移行する。操作されない場合、ステップＳ８９を実行せずに処理はステップＳ９０に移行する。
【００６０】
ステップＳ９０では同時表示処理を終了し、もとの処理、すなわち再生処理のステップＳ６６に処理が戻る。
【００６１】
次に図９を用いて同時変倍処理について説明する。同時変倍処理は、同時表示処理のステップＳ８７において実行される。
【００６２】
ステップＳ９１では、まず表示倍率の変更が拡大及び縮小のいずれであるかが判断される。判断は、後操作ダイヤル１１２が左右どちらに回転されたかで判断される。左方向に回転された場合、表示倍率の変更は縮小と判断され、右方向に回転された場合、表示倍率の変更は拡大と判断される。拡大であるとき処理はステップＳ９２に進み、縮小であるとき処理はステップＳ９３に進む。
【００６３】
ステップＳ９２では、第１及び第２の表示領域１２２、１２３に表示される２つの撮影画像のうち、いずれか又は両方が現に最大倍率で表示されているか否かが判断される。最大倍率で表示されていないとき、処理はステップＳ９４に進む。ステップＳ９４では、第１及び第２の表示領域１２２、１２３に表示される２つの撮影画像の表示倍率を１ステップだけ大きくする。これにより、２つの撮影画像が同時に拡大される。
【００６４】
ステップＳ９３では、第１及び第２の表示領域１２２、１２３に表示される２つの撮影画像のうち、いずれか又は両方が現に最小倍率で表示されているか否かが判断される。最小倍率で表示されていないとき、処理はステップＳ９５に進む。ステップＳ９５では、第１及び第２の表示領域１２２、１２３に表示される２つの撮影画像の表示倍率を１ステップだけ小さくする。これにより、２つの撮影画像が同時に縮小される。
【００６５】
ステップＳ９２においていずれか又は両方の撮影画像が現に最大倍率で表示されているとき、つまり、例えばいずれか一方の撮影画像が３２倍に達したとき、２つの撮影画像の表示倍率は増やされない。第２の撮影画像１２５の表示倍率が３２倍となったときに第１の撮影画像１２４の表示倍率が１６倍であるならば、第１の撮影画像１２４は１６倍を超えて拡大されない。
【００６６】
また、ステップＳ９３においていずれか又は両方の撮影画像が現に最小倍率で表示されているとき、つまり、例えばいずれか一方の撮影画像が０．７５倍または1倍に達したとき、２つの撮影画像の表示倍率は減らされない。第１の撮影画像１２４の表示倍率が０．７５倍となったときに第２の撮影画像１２５の表示倍率が１．７倍であるならば、第１の撮影画像１２４は１．７倍よりも縮小されない。
【００６７】
このように、ステップＳ９２又はステップＳ９３においていずれか又は両方の撮影画像が現に最大又は最小倍率で表示されているとき、２つの撮影画像の表示倍率を変更せずに処理はステップＳ９６へ進む。
【００６８】
ステップＳ９４及びＳ９５が終了すると処理はステップＳ９６に進む。ステップＳ９６において処理は同時表示処理に戻される。
【００６９】
これにより、２つの撮影画像が同時に拡大又は縮小される。
【００７０】
次に図１０を用いて同時移動処理について説明する。同時移動処理は、同時表示処理のステップＳ８８において実行される。
【００７１】
ステップＳ１０１では、まず第１の撮影画像１２４が十字キー１１３により入力された移動方向に移動可能か否かが判断される。移動可能であると判断されるとき、つまり、第１の撮影画像１２４が第１の表示領域１２２の移動限界位置に達していないとき、処理はステップＳ１０２に進む。移動可能でないと判断されるとき、つまり、第１の撮影画像１２４が第１の表示領域１２２の移動限界位置に達しているとき、処理はステップＳ１０３に進む。
【００７２】
ステップＳ１０２では、第２の撮影画像１２５が十字キー１１３により入力された移動方向に移動可能か否かが判断される。移動可能であると判断されるとき、つまり、第２の撮影画像１２５が第２の表示領域１２３の移動限界位置に達していないとき、処理はステップＳ１０４に進む。移動可能でないと判断されるとき、つまり、第１の撮影画像１２４が第１の表示領域１２２の移動限界位置に達しているとき、処理はステップＳ１０５に進む。
【００７３】
ステップＳ１０４では、第１及び第２の表示領域１２２、１２３が、十字キー１１３により入力された移動方向に移動される。ステップＳ１０５では、第１の表示領域１２２が、十字キー１１３により入力された移動方向に移動される。
【００７４】
ステップＳ１０３では、第２の撮影画像１２５が十字キー１１３により入力された移動方向に移動可能か否かが判断される。移動可能であると判断されるとき、つまり、第２の撮影画像１２５が第２の表示領域１２３の移動限界位置に達していないとき、処理はステップＳ１０６に進む。移動可能でないと判断されるとき、つまり、第１の撮影画像１２４が第１の表示領域１２２の移動限界位置に達しているとき、第１及び第２の表示領域１２２、１２３を移動せずに処理はステップＳ１０７に進む。
【００７５】
ステップＳ１０６では、第２の表示領域１２３が、十字キー１１３により入力された移動方向に移動される。
【００７６】
ステップＳ１０４、Ｓ１０５、及びＳ１０６が終了すると処理はステップＳ１０７に進む。ステップＳ１０７において処理は同時表示処理に戻される。
【００７７】
これにより、表示装置に表示された画像の参照が容易になる。
【００７８】
次に本発明による画像表示システムの一実施形態について添付図面を参照して説明する。図１１は撮像レンズが取り付けられたデジタルカメラと外部表示装置の外観図である。
【００７９】
デジタルカメラ１００は出力端子１４１を備える。外部表示装置は例えばテレビ１９０である。テレビ１９０はコンポジットビデオ信号を受信可能な入力端子１９１を備える。出力端子１４１及び入力端子１９１には信号ケーブル１９５が接続される。
【００８０】
デジタルカメラ１００内部において前述の再生処理、変倍移動処理、同時表示処理、同時変倍処理、及び同時移動処理を用いて表示装置１２０に表示される撮影画像が、出力端子１４１からコンポジットビデオ信号として出力する。コンポジットビデオ信号は、信号ケーブル１９５により入力端子１９１に伝送される。入力端子１９１を介してビデオ信号を受信したテレビ１９０は、外部表示画面１９２に撮影画像を表示する。
【００８１】
これにより、ユーザは表示画面１２０よりも大きな表示面積を有する外部表示画面１９２を用いて画像を参照することが可能になる。
【００８２】
なお、出力端子１４１から出力される信号は、Ｓビデオ信号、コンポーネントビデオ信号や、ＲＧＢ信号等の映像を伝送可能な信号であれば良い。Ｓビデオ信号が出力される場合、信号ケーブルは例えばテレビのＳビデオ入力端子に接続される。ＲＧＢ信号が出力される場合には、信号ケーブルは例えばコンピュータディスプレイのＲＧＢ入力端子に接続される。
【００８３】
なお、撮像素子１５７はＣＣＤでなくても良く、ＣＭＯＳ等の光に反応して電気信号を出力する素子であればよい。
【図面の簡単な説明】
【００８４】
【図１】撮像レンズと、本発明の一実施形態によるデジタルカメラとの外観図である。
【図２】デジタルカメラのブロック図である。
【図３】第１及び第２の撮影画像のいずれか一方を拡大する処理を概略的に示した図である。
【図４】第１及び第２の撮影画像を同時に拡大する処理を概略的に示した図である。
【図５】第１及び第２の撮影画像を同時に移動する処理を概略的に示した図である。
【図６】再生処理を示すフローチャートである。
【図７】変倍移動処理を示すフローチャートである。
【図８】同時表示処理を示すフローチャートである。
【図９】同時変倍処理を示すフローチャートである。
【図１０】同時移動処理を示すフローチャートである。
【図１１】デジタルカメラに接続された外部表示装置を概略的に示した図である。
【符号の説明】
【００８５】
１００  デジタルカメラ
１１１  シャッターレリーズボタン
１１２  後操作ダイヤル
１１３  十字キー
１１４  Ｆｎボタン
１１５  再生ボタン
１１６  グリーンボタン
１１７  ＯＫボタン
１２０  ディスプレイ
１２１  第１の表示領域
１２２  第２の表示領域
１５０  ＣＰＵ
１９０  テレビ
２０  撮像レンズ
【図１】
0004960849.tif 000002
【図２】
0004960849.tif 000003
【図３】
0004960849.tif 000004
【図４】
0004960849.tif 000005
【図５】
0004960849.tif 000006
【図６】
0004960849.tif 000007
【図７】
0004960849.tif 000008
【図８】
0004960849.tif 000009
【図９】
0004960849.tif 000010
【図１０】
0004960849.tif 000011
【図１１】
0004960849.tif 000012